(57)【要約】【課題】用紙の厚みによらず、読取精度と画像品質を十分に確保することが可能な画像読取装置及び当該画像読取装置を備える画像形成装置を提供する。【解決手段】メディア上に形成された画像を読み取る画像読取部（読取部３２）と、画像読取部と対向する読取位置におけるメディアと画像読取部との距離を調整する調整部材と、調整部材を制御して、画像読取部がメディアの画像読取部側の第１面の画像を読み取る第１配置と、画像読取部がメディアの第１面と異なる第２面の画像を読み取る第２配置と、を切り替える制御部３１と、を備える。【選択図】図２
2020088704.tif 000002
【特許請求の範囲】
【請求項１】
メディア上に形成された画像を読み取る画像読取部と、
前記画像読取部と対向する読取位置における前記メディアと前記画像読取部との距離を調整する調整部材と、
前記調整部材を制御して、前記画像読取部が前記メディアの前記画像読取部側の第１面の画像を読み取る第１配置と、前記画像読取部が前記メディアの前記第１面と異なる第２面の画像を読み取る第２配置と、を切り替える制御部と、
を備えることを特徴とする画像読取装置。
【請求項２】
連続メディアを前記読取位置に搬送する搬送部と、
前記連続メディアにテンションを付与するテンション付与部と、
を備え、
前記調整部材は、前記搬送部により搬送される連続メディアの搬送経路よりも前記画像読取部側であって、前記画像読取部のメディア搬送方向上流側及び下流側に、前記画像読取部の読取面と平行に配置され、前記第１配置の状態において、前記テンション付与部により前記連続メディアにテンションが付与されることで、前記読取位置を通過する連続メディアの前記第１面を前記画像読取部による読取面に位置させる第１押し当て部材であることを特徴とする請求項１に記載の画像読取装置。
【請求項３】
前記第１押し当て部材は、前記読取面と垂直な方向に移動可能に構成され、
前記制御部は、前記第１押し当て部材の位置を調整して、前記第１配置と前記第２配置とを切り替えることを特徴とする請求項２に記載の画像読取装置。
【請求項４】
連続メディアを前記読取位置に搬送する搬送部と、
前記連続メディアにテンションを付与するテンション付与部と、
前記搬送部により搬送される連続メディアの搬送経路よりも前記画像読取部側であって、前記画像読取部のメディア搬送方向上流側及び下流側に、前記画像読取部の読取面と平行に固定配置され、前記第１配置の状態において、前記テンション付与部により前記連続メディアにテンションが付与されることで、前記読取位置を通過する連続メディアの前記第１面を前記画像読取部による読取面に位置させる第１押し当て部材と、
を備え、
前記調整部材は、前記搬送部により搬送される連続メディアの搬送経路を挟んで前記画像読取部と対向する位置であって、前記画像読取部のメディア搬送方向上流側及び下流側かつ前記第１押し当て部材の内側に前記画像読取部の読取面と平行に配置され、前記読取面と垂直な方向に移動可能に構成された第２押し当て部材であり、
前記制御部は、前記第２押し当て部材を前記画像読取部に近づける方向に移動させることで、前記第１配置から前記第２配置に切り替えることを特徴とする請求項１に記載の画像読取装置。
【請求項５】
連続メディアを前記読取位置に搬送する搬送部と、
前記連続メディアにテンションを付与するテンション付与部と、
前記搬送部により搬送される連続メディアの搬送経路よりも前記画像読取部側であって、前記画像読取部のメディア搬送方向上流側及び下流側に、前記画像読取部の読取面と平行に固定配置された第１押し当て部材と、
を備え、
前記調整部材は、前記搬送部により搬送される連続メディアの搬送経路を挟んで前記画像読取部と対向する位置であって、前記画像読取部のメディア搬送方向上流側及び下流側かつ前記第１押し当て部材の内側に前記画像読取部の読取面と平行に配置されるとともに、前記読取面と垂直な方向において前記第１押し当て部材よりも前記画像読取部側に配置され、前記読取面と垂直な方向に移動可能に構成され、前記第１配置の状態において、前記テンション付与部により前記連続メディアにテンションが付与されることで、前記読取位置を通過する連続メディアの前記第１面を前記画像読取部による読取面に位置させる第２押し当て部材であり、
前記制御部は、前記第２押し当て部材を前記画像読取部に近づける方向に移動させることで、前記第１配置から前記第２配置に切り替えることを特徴とする請求項１に記載の画像読取装置。
【請求項６】
メディアに画像を形成する画像形成部と、
前記画像形成部によりメディア上に形成された画像を読み取る請求項１〜５のいずれか一項に記載の画像読取装置と、
を備えることを特徴とする画像形成装置。
【発明の詳細な説明】
【技術分野】
【０００１】
本発明は、画像読取装置及び当該画像読取装置を備える画像形成装置に関する。
【背景技術】
【０００２】
近年、従来の大量印刷に比べ、多品種・小ロットの印刷ジョブが増え続けているため、短納期でのオーダーに応える必要がある。中小規模のラベル市場においても、デジタルプロダクションプリンターをエンジンとし、多品種・小ロットの生産が求められ、安定した品質の印刷物が要求される。そこで、デジタルプリンター（画像形成装置）でプリントされた用紙画像の色、位置、倍率等を読み取り、読取情報からデジタルプリンターへの補正量をフィードバックする画像読取装置が提案されている。画像読取装置は、例えば、用紙に光を照射する照明装置（光源）と用紙の反射光の情報を読み取るラインセンサーとを備えたスキャナーを有し、読取位置において、用紙の横幅方向のライン情報の読み取りを可能とするとともに、用紙搬送部の送りによって用紙の送り方向の読み取りを可能としている。スキャナーでは、安価にかつ測色計に比べて速いスピードで広範囲の画像を読み取ることができる。
【０００３】
ユーザーは、プリントしたい画像を出力する前に、スキャナーで読み取った読取情報に補正する調整モードを実施する。調整モードでは、スキャナーで読み取った１番目の画像の色情報を正確な値として、２番目以降の画像にフィードバックすることができる。これにより、ユーザーがプリントしたい画像を出力する際は、スキャナーで画像を読み取ることで、高い生産性で画像の自動補正を行うことが可能となる。
【０００４】
上記のスキャナーの一例として、センサーの読取位置と用紙の変動を押さえる押さえ部材の配置位置とにより定まる色判定領域に基づき、画像の読取範囲を定めることで、用紙に形成されている画像の色を正確に読み取らせることが可能な構成が開示されている（例えば、特許文献１参照）。
また、読み取り対象である原稿媒体が通過する隙間を所定距離以下の距離とすることで、原稿の紙厚を問わず、確実かつ高速に原稿表面の情報を読み取ることが可能な構成が開示されている（例えば、特許文献２参照）。
【先行技術文献】
【特許文献】
【０００５】
【特許文献１】特開２０１８−１１７２００号公報
【特許文献２】特開平１０−２９０３１８号公報
【発明の概要】
【発明が解決しようとする課題】
【０００６】
ところで、スキャナーで画像の色を安定的に読み取るには、読取位置（焦点位置）での垂直方向の位置（読取高さ）に高い精度が要求される。読取位置で用紙のバタつきが垂直方向に発生すると、露光部の反射光量の変化で色差が大きく発生してしまう。上記特許文献１記載の構成は、読取部と対向する背景部材における基準部材が固定される一方で、押さえ部材が用紙面に付勢されている。したがって、上記特許文献１記載の構成の場合、用紙厚さにより用紙の読取面と読取部との間の距離（読取高さ）が変動するため、読取精度が悪化するという課題がある。
【０００７】
また、上記特許文献２記載の構成は、ガイド板が付勢部材により用紙を読取部に押し上げ、用紙の厚さを問わず用紙表面の情報を読み取る構成である。したがって、用紙表面の情報に関しては、読取面と読取部との間の距離を固定して読み取ることができる。しかしながら、上記特許文献２記載の構成は、読取面と読取部との間の距離を調整することができないため、ジョブにより読み取りたい面を変更した場合（例えば、表面から裏面に変更した場合）、読取精度が悪化する。また、上記の押し上げ動作により、読取部の底面、用紙及びガイド板は密着しているため、読取部の底面、用紙及びガイド板に傷が発生するおそれがあり、ゴミが付着するおそれもある。このように、上記特許文献２記載の構成の場合、読取精度と画像品質が悪化するという課題がある。
【０００８】
本発明は、用紙の厚みによらず、読取精度と画像品質を十分に確保することが可能な画像読取装置及び当該画像読取装置を備える画像形成装置を提供することを目的とする。
【課題を解決するための手段】
【０００９】
請求項１に記載の発明は、上記目的を達成するためになされたものであり、
画像読取装置において、
メディア上に形成された画像を読み取る画像読取部と、
前記画像読取部と対向する読取位置における前記メディアと前記画像読取部との距離を調整する調整部材と、
前記調整部材を制御して、前記画像読取部が前記メディアの前記画像読取部側の第１面の画像を読み取る第１配置と、前記画像読取部が前記メディアの前記第１面と異なる第２面の画像を読み取る第２配置と、を切り替える制御部と、
を備えることを特徴とする。
【００１０】
請求項２に記載の発明は、請求項１に記載の画像読取装置において、
連続メディアを前記読取位置に搬送する搬送部と、
前記連続メディアにテンションを付与するテンション付与部と、
を備え、
前記調整部材は、前記搬送部により搬送される連続メディアの搬送経路よりも前記画像読取部側であって、前記画像読取部のメディア搬送方向上流側及び下流側に、前記画像読取部の読取面と平行に配置され、前記第１配置の状態において、前記テンション付与部により前記連続メディアにテンションが付与されることで、前記読取位置を通過する連続メディアの前記第１面を前記画像読取部による読取面に位置させる第１押し当て部材であることを特徴とする。
【００１１】
請求項３に記載の発明は、請求項２に記載の画像読取装置において、
前記第１押し当て部材は、前記読取面と垂直な方向に移動可能に構成され、
前記制御部は、前記第１押し当て部材の位置を調整して、前記第１配置と前記第２配置とを切り替えることを特徴とする。
【００１２】
請求項４に記載の発明は、請求項１に記載の画像読取装置において、
連続メディアを前記読取位置に搬送する搬送部と、
前記連続メディアにテンションを付与するテンション付与部と、
前記搬送部により搬送される連続メディアの搬送経路よりも前記画像読取部側であって、前記画像読取部のメディア搬送方向上流側及び下流側に、前記画像読取部の読取面と平行に固定配置され、前記第１配置の状態において、前記テンション付与部により前記連続メディアにテンションが付与されることで、前記読取位置を通過する連続メディアの前記第１面を前記画像読取部による読取面に位置させる第１押し当て部材と、
を備え、
前記調整部材は、前記搬送部により搬送される連続メディアの搬送経路を挟んで前記画像読取部と対向する位置であって、前記画像読取部のメディア搬送方向上流側及び下流側かつ前記第１押し当て部材の内側に前記画像読取部の読取面と平行に配置され、前記読取面と垂直な方向に移動可能に構成された第２押し当て部材であり、
前記制御部は、前記第２押し当て部材を前記画像読取部に近づける方向に移動させることで、前記第１配置から前記第２配置に切り替えることを特徴とする。
【００１３】
請求項５に記載の発明は、請求項１に記載の画像読取装置において、
連続メディアを前記読取位置に搬送する搬送部と、
前記連続メディアにテンションを付与するテンション付与部と、
前記搬送部により搬送される連続メディアの搬送経路よりも前記画像読取部側であって、前記画像読取部のメディア搬送方向上流側及び下流側に、前記画像読取部の読取面と平行に固定配置された第１押し当て部材と、
を備え、
前記調整部材は、前記搬送部により搬送される連続メディアの搬送経路を挟んで前記画像読取部と対向する位置であって、前記画像読取部のメディア搬送方向上流側及び下流側かつ前記第１押し当て部材の内側に前記画像読取部の読取面と平行に配置されるとともに、前記読取面と垂直な方向において前記第１押し当て部材よりも前記画像読取部側に配置され、前記読取面と垂直な方向に移動可能に構成され、前記第１配置の状態において、前記テンション付与部により前記連続メディアにテンションが付与されることで、前記読取位置を通過する連続メディアの前記第１面を前記画像読取部による読取面に位置させる第２押し当て部材であり、
前記制御部は、前記第２押し当て部材を前記画像読取部に近づける方向に移動させることで、前記第１配置から前記第２配置に切り替えることを特徴とする。
【００１４】
請求項６に記載の発明は、
画像形成装置において、
メディアに画像を形成する画像形成部と、
前記画像形成部によりメディア上に形成された画像を読み取る請求項１〜５のいずれか一項に記載の画像読取装置と、
を備えることを特徴とする。
【発明の効果】
【００１５】
本発明によれば、用紙の厚みによらず、読取精度と画像品質を十分に確保することができる。
【図面の簡単な説明】
【００１６】
【図１】本実施形態の画像形成装置の概略構成を示す図である。
【図２】本実施形態の画像形成装置の主要な機能構成を示すブロック図である。
【図３】画像読取装置の第１配置を示す図である。
【図４】画像読取装置の第２配置を示す図である。
【図５】押し当て部材を移動させる構成の変形例を示す図である。
【図６】画像読取装置の動作の一例を示すフローチャートである。
【図７】変形例１の画像読取装置の第１配置を示す図である。
【図８】変形例１の画像読取装置の第２配置を示す図である。
【図９】変形例２の画像読取装置の第１配置を示す図である。
【図１０】変形例２の画像読取装置の第２配置を示す図である。
【発明を実施するための形態】
【００１７】
以下、本発明の実施の形態について、図面を参照して詳細に説明する。
【００１８】
［１．構成の説明］
本実施形態に係る画像形成装置１００は、ロール状の連帳紙（メディア：連続メディア）Ｐ上に画像を形成する装置である。画像形成装置１００は、図１に示すように、連帳紙Ｐの搬送方向（用紙搬送方向）に沿って上流側から、給紙装置１、本体部２、画像読取装置３、巻き取り装置４が接続されて構成されている。なお、本実施形態では、本発明のメディアである連帳紙Ｐを通紙する構成を例示して説明しているが、これに限定されるものではなく、カット紙を通紙する構成であってもよい。
【００１９】
給紙装置１は、連帳紙Ｐを本体部２へ給紙する装置である。給紙装置１は、支持軸Ｘに巻回された連帳紙Ｐを、例えば、繰り出しローラー、給紙ローラー等の複数の搬送ローラー対を経由して、一定の速度で本体部２へ搬送する。給紙装置１の給紙動作は、本体部２が備える制御部２１によって制御される。
【００２０】
本体部２は、電子写真プロセス技術を利用した中間転写方式で画像形成を行う。本体部２は、図２に示すように、制御部２１と、画像処理部２２と、画像形成部２３と、用紙搬送部２４と、記憶部２５と、操作表示部２６と、通信部２７と、通信Ｉ／Ｆ部２８と、を備えて構成され、各部はバス２９により接続されている。
【００２１】
制御部２１は、ＣＰＵ、ＲＯＭ、ＲＡＭ等を備える。制御部２１のＣＰＵは、ＲＯＭから処理内容に応じたプログラムを読み出してＲＡＭに展開し、展開したプログラムと協働して本体部２の各ブロックや、給紙装置１、画像読取装置３、巻き取り装置４等の動作を集中制御する。
【００２２】
画像処理部２２は、通信部２７等を介して入力されたジョブの画像データに、濃度補正処理、ラスタライズ処理、色変換処理、中間調処理等の画像処理を施して画像形成部２３に出力する。
【００２３】
画像形成部２３は、図１に示すように、Ｙ（イエロー）、Ｍ（マジェンタ）、Ｃ（シアン）、及びＫ（黒）の色成分に各々対応する４組の露光部２ａ、感光体２ｂ、現像部２ｃ、帯電部２ｄ、クリーニング部２ｅ及び一次転写ローラー２ｆと、中間転写体２０１と、二次転写ローラー２０２と、定着部２０３と、を備えて構成されている。画像形成部２３は、入力された画像データに基づいて、各色の感光体２ｂ上に各色トナー像を形成して順次中間転写体２０１に一次転写して４色のトナー像を重ね合わせた後、二次転写ローラー２０２により給紙装置１から給紙された連帳紙Ｐにトナー像を二次転写することにより、連帳紙Ｐに画像を形成する。そして、形成された画像を定着部２０３により連帳紙Ｐに定着させる。
【００２４】
用紙搬送部２４は、複数の搬送ローラー及びその駆動源を有し、給紙装置１から搬送されてきた連帳紙Ｐを搬送する。
【００２５】
記憶部２５は、例えば、不揮発性の半導体メモリ（いわゆるフラッシュメモリ）やハードディスクドライブ等により構成される。記憶部２５は、入力されたジョブの画像データやジョブの設定情報等を記憶する。なお、これらのデータ等は制御部２１のＲＡＭに記憶されてもよい。
【００２６】
操作表示部２６は、例えばタッチパネル付の液晶ディスプレイ（ＬＣＤ：Liquid Crystal Display）で構成され、表示部２６１及び操作部２６２として機能する。
表示部２６１は、制御部２１から入力される表示制御信号に従って、各種操作画面、画像の状態、各機能の動作状況等の表示を行う。
操作部２６２は、テンキー、スタートキー等の各種操作キーを備え、ユーザーによる各種入力操作を受け付けて、操作信号を制御部２１に出力する。
【００２７】
通信部２７は、例えばＬＡＮ（Local Area Network）カード等の通信制御カードで構成され、ＬＡＮ、ＷＡＮ（Wide Area Network）等の通信ネットワークに接続された外部装置（例えばパーソナルコンピューター）との間で各種データの送受信を行う。
【００２８】
通信Ｉ／Ｆ部２８は、給紙装置１、画像読取装置３、巻き取り装置４に接続するための通信インターフェースを有する。
【００２９】
画像読取装置３は、本体部２により画像が形成された連帳紙Ｐを読み取って読取画像を取得する。画像読取装置３は、図２に示すように、制御部３１と、読取部（画像読取部）３２と、用紙搬送部（搬送部）３３と、駆動部３４と、記憶部３５と、通信Ｉ／Ｆ部３６と、を備えて構成され、各部はバス３７により接続されている。また、画像読取装置３は、図１に示すように、校正部材３８と、背景部材３９と、を備えて構成されている。
【００３０】
制御部３１は、ＣＰＵ、ＲＯＭ、ＲＡＭ等を備える。制御部３１のＣＰＵは、ＲＯＭから処理内容に応じたプログラムを読み出してＲＡＭに展開し、展開したプログラムと協働して、本体部２から送信される制御信号に基づいて、画像読取装置３の各ブロックの動作を集中制御する。本実施形態において、制御部３１は、切り替え制御処理（図６参照）を実行し、画像読取装置３内の各部（押し当て部材３２４ａ、３２４ｂ）の配置を第１配置（図３参照）又は第２配置（図４参照）に切り替え制御する。具体的には、制御部３１は、押し当て部材３２４ａ、３２４ｂの位置を制御（調整）して、読取部３２が連帳紙Ｐの読取部３２側の第１面の画像を読み取る第１配置と、読取部３２が連帳紙Ｐの第１面と異なる第２面の画像を読み取る第２配置と、を切り替える。
【００３１】
読取部３２は、光源３２１と、レンズ３２２と、ＣＣＤラインセンサー３２３と、を備えて構成され、本体部２から読取位置ＲＰに搬送された連帳紙Ｐを光学的に走査し、連帳紙Ｐからの反射光をレンズ３２２によりＣＣＤラインセンサー３２３の受光面上に結像させて光電変換して読取画像を生成する。
【００３２】
読取部３２の用紙搬送方向上流側と下流側には、図３及び図４に示すように、読取部３２と対向する読取位置ＲＰにおける連帳紙Ｐと読取部３２との距離を調整する本発明の調整部材（第１押し当て部材）としての押し当て部材３２４ａ、押し当て部材３２４ｂが備えられている。
押し当て部材３２４ａ、３２４ｂは、用紙搬送部３３により搬送される連帳紙Ｐの搬送経路よりも読取部３２側に配置されている。また、押し当て部材３２４ａ、３２４ｂは、読取部３２の読取面ＲＳ（読取位置ＲＰにおいてレンズ３２２のピントが合っている面（読取部３２が最も鮮明に読取可能な面））と平行に配置されている。また、押し当て部材３２４ａ、３２４ｂは、モーターＭ１、Ｍ２により読取面ＲＳと垂直な方向に移動可能に構成されている。具体的には、モーターＭ１、Ｍ２により、押し当て部材３２４ａ、３２４ｂを読取面ＲＳと垂直な方向に移動させることで、画像読取装置３内の配置を第１配置（図３参照）と第２配置（図４参照）との間で切り替えることができる。なお、初期状態では、第１配置となっている。
【００３３】
なお、図３及び図４に示す例では、押し当て部材３２４ａ、３２４ｂを読取面ＲＳと垂直な方向に移動させる構成として、モーターＭ１、Ｍ２を例示して説明しているが、これに限定されるものではない。例えば、図５に示すように、モーターＭ１、Ｍ２の代わりに、ソレノイドＳＮ１、ＳＮ２を用いるようにしてもよい。
【００３４】
押し当て部材３２４ａ、３２４ｂは、図３に示す第１配置の状態において、搬送部材３３３、３３４により連帳紙Ｐにテンションが付与されることで、読取位置ＲＰを通過する連帳紙Ｐの読取部３２側の紙面（表面：第１面）を読取部３２による読取面ＲＳに位置させる。すなわち、押し当て部材３２４ａ、３２４ｂは、第１配置の状態において、接線が読取面ＲＳと一致する。
また、押し当て部材３２４ａ、３２４ｂは、図４に示す第２配置の状態において、搬送部材３３３、３３４により連帳紙Ｐにテンションが付与されることで、読取位置ＲＰを通過する連帳紙Ｐの読取部３２側の紙面と異なる紙面（裏面：第２面）を読取部３２による読取面ＲＳに位置させる。
【００３５】
押し当て部材３２４ａ、３２４ｂとしては、例えば、用紙搬送方向に直交する方向（主走査方向）に延在するコロ、ローラー、棒状の部材等が適用可能である。ただし、連帳紙Ｐや押し当て部材３２４ａ、３２４ｂに傷が発生するおそれがあることを考慮して、連帳紙Ｐにより従動回転可能なコロやローラー等の部材を適用することが好ましい。押し当て部材３２４ａ、３２４ｂの材質は、特に限定されず、例えば、金属やゴム等が適用可能である。
【００３６】
用紙搬送部３３は、図１に示すように、例えば、搬送ローラー等からなる複数の搬送部材３３１〜３３６を備え、本体部２から搬送された連帳紙Ｐを用紙搬送経路に沿って搬送する。搬送部材３３１〜３３６は、この順に用紙搬送方向上流側から下流側に並んでいる。
用紙搬送方向上流側の押し当て部材３２４ａに隣接する搬送部材３３３は、図４に示すように、当該搬送部材３３３が連帳紙Ｐと接する位置が押し当て部材３２４ａが連帳紙Ｐと接する位置よりも読取面ＲＳから離れた側（上方）となるように位置している。同様に、下流側の押し当て部材３２４ｂに隣接する搬送部材３３４は、当該搬送部材３３４が連帳紙Ｐと接する位置が押し当て部材３２４ｂが連帳紙Ｐと接する位置よりも読取面ＲＳから離れた側（上方）となるように位置している。この構成により、搬送部材３３３、３３４が押し当て部材３２４ａ、３２４ｂよりも読取面ＲＳから離れた側（上方）に位置することができ、読取位置ＲＰにおいて連帳紙Ｐにテンションを与え、紙の厚さによらず紙面（表面）を読取面ＲＳに位置させることができ、精度の高い読み取りが可能となる。
すなわち、搬送部材３３３、３３４は、連帳紙Ｐにテンションを付与するテンション付与部として機能する。
【００３７】
駆動部３４は、搬送部材３３１〜３３６を回転させるための駆動源（モーター等）や駆動源の出力軸に連結されたギア等を備えて構成される。
【００３８】
記憶部３５は、不揮発メモリー等により構成され、読取部３２で読み取った読取画像や、読取部３２の校正値等を記憶する。
【００３９】
通信Ｉ／Ｆ部３６は、給紙装置１、画像読取装置３、巻き取り装置４に接続するための通信インターフェースを有する。
【００４０】
校正部材３８は、読取部３２の校正時に使用される表面が白色の板状の部材である。
背景部材３９は、連帳紙Ｐの読取時に反射板として用いられる表面が黒色の板状の部材である。
校正部材３８及び背景部材３９は、その用途に応じて、いずれか一方が読取部３２と対向する位置に配置されるように構成されている。
【００４１】
巻き取り装置４は、画像読取装置３から搬送されてきた連帳紙Ｐを、複数の搬送ローラー対（例えば、繰り出しローラー、排紙ローラー）を経由して、一定の速度で支持軸Ｙに巻き取る装置である。巻き取り装置４の巻き取り動作は、本体部２が備える制御部２１によって制御される。
【００４２】
［２．動作の説明］
次に、本実施形態に係る画像形成装置１００における画像読取装置３の動作（切り替え制御処理）について、図６のフローチャートを参照して説明する。この処理は、本体部２からプリント動作（連帳紙Ｐの搬送）の開始信号を受信したことを契機として開始される。
【００４３】
まず、画像読取装置３の制御部３１は、連帳紙Ｐの読取面の設定を取得する（ステップＳ１）。連帳紙Ｐの読取面の設定とは、読取部３２による読み取りの対象となる紙面が表面であるか裏面であるかを示す設定のことである。なお、読み取りの対象となる紙面としては、表面及び裏面に限らず、例えば、表面と裏面との中間に位置する面であってもよい。
【００４４】
次に、制御部３１は、ステップＳ１で取得した連帳紙Ｐの読取面の設定を参照し、読み取りの対象となる紙面が表面であるか否かを判定する（ステップＳ２）。
制御部３１は、読み取りの対象となる紙面が表面であると判定した場合（ステップＳ２：ＹＥＳ）、ステップＳ６へと移行する。
一方、制御部３１は、読み取りの対象となる紙面が表面でない（例えば、裏面である）と判定した場合（ステップＳ２：ＮＯ）、次のステップＳ３へと移行する。
【００４５】
ステップＳ３において、制御部３１は、連帳紙Ｐの読取面（ここでは裏面）と連帳紙Ｐの表面との差を計算する。
【００４６】
次に、制御部３１は、モーターＭ１、Ｍ２を制御して、ステップＳ３で計算した連帳紙Ｐの読取面と表面との差分だけ、押し当て部材３２４ａ、３２４ｂを読取面ＲＳと垂直な方向に移動させる（ステップＳ４）。これにより、画像読取装置３内の配置が第１配置から第２配置へと切り替えられる。
【００４７】
次に、制御部３１は、ステップＳ４における押し当て部材３２４ａ、３２４ｂの移動が完了したか否かを判定する（ステップＳ５）。
制御部３１は、ステップＳ４における押し当て部材３２４ａ、３２４ｂの移動が完了したと判定した場合（ステップＳ５：ＹＥＳ）、次のステップＳ６へと移行する。
一方、ステップＳ４における押し当て部材３２４ａ、３２４ｂの移動が完了していないと判定した場合（ステップＳ５：ＮＯ）、押し当て部材３２４ａ、３２４ｂの移動が完了するまでステップＳ５の処理を繰り返す。
【００４８】
ステップＳ６において、制御部３１は、読取部３２により連帳紙Ｐの画像を読み取る。そして、制御部３１は、読み取った画像（読取画像）を、通信Ｉ／Ｆ部３６を介して本体部２に送信する。
本体部２においては、画像読取装置３から送信された読取画像に基づいて、画像の色、位置、倍率等の補正値が算出され、画像形成にフィードバックされる。
【００４９】
［３．効果］
以上のように、本実施形態に係る画像形成装置１００の画像読取装置３は、メディア（連帳紙Ｐ）上に形成された画像を読み取る画像読取部（読取部３２）と、画像読取部と対向する読取位置ＲＰにおけるメディアと画像読取部との距離を調整する調整部材と、調整部材を制御して、画像読取部がメディアの画像読取部側の第１面の画像を読み取る第１配置と、画像読取部がメディアの第１面と異なる第２面の画像を読み取る第２配置と、を切り替える制御部３１と、を備える。
したがって、本実施形態に係る画像読取装置３によれば、画像読取部と調整部材との相対位置を調整することができるので、メディアの読み取りたい面と画像読取部との距離を画像読取部との読取高さの位置とすることが可能となり、異なる材質及び印刷方式のメディア上の画像を精度よく読み取ることができる。例えば、透明材料の裏面や中央部に画像が形成された場合であっても、材料を通して画像を精度よく読み取ることができる。よって、用紙の厚みによらず、読取精度と画像品質を十分に確保することができる。
【００５０】
また、本実施形態に係る画像読取装置３は、連続メディア（連帳紙Ｐ）を読取位置ＲＰに搬送する搬送部（用紙搬送部３３）と、連続メディアにテンションを付与するテンション付与部（搬送部材３３３、３３４）と、を備える。また、調整部材は、搬送部により搬送される連続メディアの搬送経路よりも画像読取部側であって、画像読取部のメディア搬送方向上流側及び下流側に、画像読取部の読取面ＲＳと平行に配置され、第１配置の状態において、テンション付与部により連続メディアにテンションが付与されることで、読取位置ＲＰを通過する連続メディアの第１面を画像読取部による読取面ＲＳに位置させる第１押し当て部材（押し当て部材３２４ａ、３２４ｂ）である。
したがって、本実施形態に係る画像読取装置３によれば、画像読取部側に配置された第１押し当て部材を連続メディアに押し当てることで、用紙の厚みによらず、メディアの読み取りたい面と画像読取部との距離を画像読取部との読取高さの位置とすることができるので、読取精度を確保することができる。
【００５１】
また、本実施形態に係る画像読取装置３によれば、第１押し当て部材は、読取面ＲＳと垂直な方向に移動可能に構成され、制御部３１は、第１押し当て部材の位置を調整して、第１配置と第２配置とを切り替える。
したがって、本実施形態に係る画像読取装置３によれば、画像読取部側に配置された第１押し当て部材を読取面ＲＳと垂直な方向に移動させることで、メディアの読み取りたい面と画像読取部との距離を容易に制御することができるので、読取精度を容易に確保することができる。
【００５２】
以上、本発明に係る実施形態に基づいて具体的に説明したが、本発明は上記実施形態に限定されるものではなく、その要旨を逸脱しない範囲で変更可能である。
【００５３】
（変形例１）
例えば、図７及び図８に示す例では、実施形態の構成と比べ、押し当て部材３２４ａ、３２４ｂが固定されている（すなわち、モーターＭ１、Ｍ２等が設けられておらず、読取面ＲＳと垂直な方向に移動しない）点及び連帳紙Ｐを読取面ＲＳと垂直な方向の下方から押し上げることが可能な押し当て部材（調整部材）３２４ｃ、３２４ｄが新たに設けられている点が異なっている。なお、説明の簡略化のため、実施形態と同様の構成については、同一の符号を付して、その詳細な説明を省略する。
【００５４】
変形例１において、押し当て部材３２４ａ、３２４ｂは、接線が読取面ＲＳと一致するように固定配置されている。
【００５５】
本発明の第２の押し当て部材である押し当て部材３２４ｃ、３２４ｄは、用紙搬送方向において、読取部３２の上流側及び下流側かつ本発明の第１の押し当て部材である押し当て部材３２４ａ、３２４ｂの内側に配置されている。また、押し当て部材３２４ｃ、３２４ｄは、用紙搬送部３３により搬送される連帳紙Ｐの搬送経路を挟んで読取部３２と対向する位置に配置されている。また、押し当て部材３２４ｃ、３２４ｄは、読取部３２の読取面ＲＳと平行に配置されている。また、押し当て部材３２４ｃ、３２４ｄは、図示しないモーター又はソレノイド等により読取面ＲＳと垂直な方向に移動可能に構成されている。具体的には、図示しないモーター又はソレノイド等により、押し当て部材３２４ｃ、３２４ｄを読取面ＲＳと垂直な方向に移動させることで、画像読取装置３内の配置を第１配置（図７参照）と第２配置（図８参照）との間で切り替えることができる。なお、初期状態では、第１配置となっている。
すなわち、制御部３１は、押し当て部材３２４ｃ、３２４ｄを読取部３２に近づける方向に移動させることで、第１配置から第２配置に切り替える。
【００５６】
押し当て部材３２４ｃ、３２４ｄは、図７に示す第１配置の状態において、連帳紙Ｐと接触しない位置に配置される。したがって、接線が読取面ＲＳと一致する押し当て部材３２４ａ、３２４ｂの位置が固定された状態で、搬送部材３３３、３３４により連帳紙Ｐにテンションが付与されることで、読取位置ＲＰを通過する連帳紙Ｐの読取部３２側の紙面（表面）が読取部３２による読取面ＲＳに位置するようになる。
また、押し当て部材３２４ｃ、３２４ｄは、図８に示す第２配置の状態において、連帳紙Ｐを第１配置よりも読取面ＲＳと垂直な方向の上方の位置へと押し上げる位置に配置される。具体的には、押し当て部材３２４ｃ、３２４ｄは、第２配置の状態において、連帳紙Ｐの読取部３２側の紙面と異なる紙面（裏面）が読取部３２による読取面ＲＳに位置するように配置される。したがって、押し当て部材３２４ｃ、３２４ｄは、第２配置の状態において、読取位置ＲＰを通過する連帳紙Ｐの読取部３２側の紙面と異なる紙面（裏面）を読取部３２による読取面ＲＳに位置させる。
【００５７】
押し当て部材３２４ｃ、３２４ｄとしては、例えば、用紙搬送方向に直交する方向（主走査方向）に延在するコロ、ローラー、棒状の部材等が適用可能である。ただし、連帳紙Ｐや押し当て部材３２４ｃ、３２４ｄに傷が発生するおそれがあることを考慮して、連帳紙Ｐにより従動回転可能なコロやローラー等の部材を適用することが好ましい。押し当て部材３２４ｃ、３２４ｄの材質は、特に限定されず、例えば、金属やゴム等が適用可能である。
【００５８】
以上のように、変形例１に係る画像読取装置３によれば、連続メディア（連帳紙Ｐ）を読取位置ＲＰに搬送する搬送部（用紙搬送部３３）と、連続メディアにテンションを付与するテンション付与部（搬送部材３３３、３３４）と、搬送部により搬送される連続メディアの搬送経路よりも画像読取部側であって、画像読取部のメディア搬送方向上流側及び下流側に、画像読取部の読取面ＲＳと平行に固定配置され、第１配置の状態において、テンション付与部により連続メディアにテンションが付与されることで、読取位置ＲＰを通過する連続メディアの第１面を画像読取部による読取面ＲＳに位置させる第１押し当て部材（押し当て部材３２４ａ、３２４ｂ）と、を備える。また、調整部材は、搬送部により搬送される連続メディアの搬送経路を挟んで画像読取部と対向する位置であって、画像読取部のメディア搬送方向上流側及び下流側かつ第１押し当て部材の内側に画像読取部の読取面ＲＳと平行に配置され、読取面ＲＳと垂直な方向に移動可能に構成された第２押し当て部材（押し当て部材３２４ｃ、３２４ｄ）であり、制御部３１は、第２押し当て部材を画像読取部に近づける方向に移動させることで、第１配置から第２配置に切り替える。
したがって、変形例１に係る画像読取装置３によれば、画像読取部側の第１押し当て部材が固定配置されているので、第１押し当て部材の位置精度を確保すること、かつ、画像読取部が受ける振動を低減することが可能となり、第１押し当て部材により決められる第１配置において、読み取りの安定性と精度を確保することができる。また、第２押し当て部材を読取面ＲＳと垂直な方向に移動させることで、メディアの読み取りたい面と画像読取部との距離を画像読取部との読取高さの位置とすることができるので、読取精度を確保することができる。
【００５９】
（変形例２）
また、図９及び図１０に示す例では、実施形態の構成と比べ、押し当て部材３２４ａ、３２４ｂが固定されている（すなわち、モーターＭ１、Ｍ２等が設けられておらず、読取面ＲＳと垂直な方向に移動しない）点、連帳紙Ｐを読取面ＲＳと垂直な方向の下方から押し上げることが可能な押し当て部材３２４ｃ、３２４ｄが新たに設けられている点及び押し当て部材３２４ｃ、３２４ｄにより第１配置の位置決めを行う点が異なっている。なお、説明の簡略化のため、実施形態と同様の構成については、同一の符号を付して、その詳細な説明を省略する。
【００６０】
変形例１において、押し当て部材３２４ａ、３２４ｂは、読取面ＲＳよりも読取面ＲＳと垂直な方向の下方の位置に固定配置されている。
【００６１】
本発明の第２の押し当て部材である押し当て部材３２４ｃ、３２４ｄは、用紙搬送方向において、読取部３２の上流側及び下流側かつ本発明の第１の押し当て部材である押し当て部材３２４ａ、３２４ｂの内側に配置されている。また、押し当て部材３２４ｃ、３２４ｄは、用紙搬送部３３により搬送される連帳紙Ｐの搬送経路を挟んで読取部３２と対向する位置に配置されている。また、押し当て部材３２４ｃ、３２４ｄは、読取部３２の読取面ＲＳと平行に配置されている。また、押し当て部材３２４ｃ、３２４ｄは、読取面ＲＳと垂直な方向において押し当て部材３２４ａ、３２４ｂよりも読取部３２側に配置されている。また、押し当て部材３２４ｃ、３２４ｄは、図示しないモーター又はソレノイド等により読取面ＲＳと垂直な方向に移動可能に構成されている。具体的には、図示しないモーター又はソレノイド等により、押し当て部材３２４ｃ、３２４ｄを読取面ＲＳと垂直な方向に移動させることで、画像読取装置３内の配置を第１配置（図９参照）と第２配置（図１０参照）との間で切り替えることができる。なお、初期状態では、第１配置となっている。
すなわち、制御部３１は、押し当て部材３２４ｃ、３２４ｄを読取部３２に近づける方向に移動させることで、第１配置から第２配置に切り替える。
【００６２】
押し当て部材３２４ｃ、３２４ｄは、図９に示す第１配置の状態において、搬送部材３３３、３３４により連帳紙Ｐにテンションが付与されることで、読取位置ＲＰを通過する連帳紙Ｐの読取部３２側の紙面（表面）を読取部３２による読取面ＲＳに位置させる。すなわち、具体的には、押し当て部材３２４ｃ、３２４ｄは、第１配置の状態において、連帳紙Ｐの読取部３２側の紙面（表面）が読取部３２による読取面ＲＳに位置するように配置される。
また、押し当て部材３２４ｃ、３２４ｄは、図１０に示す第２配置の状態において、連帳紙Ｐを第１配置よりも読取面ＲＳと垂直な方向の上方の位置へと押し上げる位置に配置される。具体的には、押し当て部材３２４ｃ、３２４ｄは、第２配置の状態において、連帳紙Ｐの読取部３２側の紙面と異なる紙面（裏面）が読取部３２による読取面ＲＳに位置するように配置される。したがって、押し当て部材３２４ｃ、３２４ｄは、第２配置の状態において、搬送部材３３３、３３４により連帳紙Ｐにテンションが付与されることで、読取位置ＲＰを通過する連帳紙Ｐの読取部３２側の紙面と異なる紙面（裏面）を読取部３２による読取面ＲＳに位置させる。すなわち、押し当て部材３２４ｃ、３２４ｄは、第２配置の状態において、接線が読取面ＲＳと一致する。
【００６３】
押し当て部材３２４ｃ、３２４ｄとしては、例えば、用紙搬送方向に直交する方向（主走査方向）に延在するコロ、ローラー、棒状の部材等が適用可能である。ただし、連帳紙Ｐや押し当て部材３２４ｃ、３２４ｄに傷が発生するおそれがあることを考慮して、連帳紙Ｐにより従動回転可能なコロやローラー等の部材を適用することが好ましい。押し当て部材３２４ｃ、３２４ｄの材質は、特に限定されず、例えば、金属やゴム等が適用可能である。
【００６４】
以上のように、変形例２に係る画像読取装置３によれば、連続メディア（連帳紙Ｐ）を読取位置ＲＰに搬送する搬送部（用紙搬送部３３）と、連続メディアにテンションを付与するテンション付与部（搬送部材３３３、３３４）と、搬送部により搬送される連続メディアの搬送経路よりも画像読取部側であって、画像読取部のメディア搬送方向上流側及び下流側に、画像読取部の読取面ＲＳと平行に固定配置された第１押し当て部材（押し当て部材３２４ａ、３２４ｂ）と、を備える。また、調整部材は、搬送部により搬送される連続メディアの搬送経路を挟んで画像読取部と対向する位置であって、画像読取部のメディア搬送方向上流側及び下流側かつ第１押し当て部材の内側に画像読取部の読取面ＲＳと平行に配置されるとともに、読取面ＲＳと垂直な方向において第１押し当て部材よりも画像読取部側に配置され、読取面ＲＳと垂直な方向に移動可能に構成され、第１配置の状態において、テンション付与部により連続メディアにテンションが付与されることで、読取位置ＲＰを通過する連続メディアの第１面を画像読取部による読取面ＲＳに位置させる第２押し当て部材（押し当て部材３２４ｃ、３２４ｄ）であり、制御部３１は、第２押し当て部材を画像読取部に近づける方向に移動させることで、第１配置から第２配置に切り替える。
したがって、変形例２に係る画像読取装置３によれば、固定配置された第１押し当て部材ではなく、読取面ＲＳと垂直な方向に移動可能な第２押し当て部材により第１配置を決めることで、メディアの画像読取部側の面にエンボス加工や凸形状がある場合であっても、メディアの読み取りたい面と画像読取部との距離を画像読取部との読取高さの位置とすることができるので、読取精度を確保することができる。また、第２押し当て部材を画像読取部から離れる方向へと移動させることで、第１配置に対して画像読取部側から遠ざかる方向へも読取位置を調整することができるので、読取位置の調整範囲を広く確保することができる。
【００６５】
その他、画像形成装置を構成する各装置の細部構成及び各装置の細部動作に関しても、本発明の趣旨を逸脱することのない範囲で適宜変更可能である。
【符号の説明】
【００６６】
１００  画像形成装置
１  給紙装置
２  本体部
２１  制御部
２２  画像処理部
２３  画像形成部
２４  用紙搬送部
２５  記憶部
２６  操作表示部
２６１  表示部
２６２  操作部
２７  通信部
２８  通信Ｉ／Ｆ部
２９  バス
３  画像読取装置
３１  制御部
３２  読取部（画像読取部）
３２１  光源
３２２  レンズ
３２３  ＣＣＤラインセンサー
３２４ａ、３２４ｂ  押し当て部材（調整部材：第１押し当て部材）
３２４ｃ、３２４ｄ  押し当て部材（調整部材：第２押し当て部材）
３３  用紙搬送部（搬送部）
３３３、３３４  搬送部材（テンション付与部）
３４  駆動部
３５  記憶部
３６  通信Ｉ／Ｆ部
３７  バス
３８  校正部材
３９  背景部材
４  巻き取り装置
Ｐ  連帳紙（メディア：連続メディア）
ＲＰ  読取位置
ＲＳ  読取面
【図１】
2020088704.tif 000003
【図２】
2020088704.tif 000004
【図３】
2020088704.tif 000005
【図４】
2020088704.tif 000006
【図５】
2020088704.tif 000007
【図６】
2020088704.tif 000008
【図７】
2020088704.tif 000009
【図８】
2020088704.tif 000010
【図９】
2020088704.tif 000011
【図１０】
2020088704.tif 000012